(57)【要約】【課題】  少ない風量で騒音、消費電力を低減しつつ、温風の到達距離を延ばすことができるようにする。【解決手段】  室内に臨む吸気口部７と吹出し口部を有する本体ケース１ａと、本体ケース１ａに設けられて、室内の空気を吸気口部７より吸気し吹出し口部より室内へ送風する循環流を発生させるブロワ４と、本体ケース１ａに設けられて、ブロワ４で加圧されて送られてくる空気を加熱する熱源とを備え、吹出し口部を、ノズル９から構成する。【選択図】        図１
2006022989.tif 000002
【特許請求の範囲】
【請求項１】
室内に臨む吸気口部と吹出し口部を有する本体ケースと、
前記本体ケースに設けられて、室内の空気を前記吸気口部より吸気し前記吹出し口部より室内へ送風する循環流を発生させるブロワと、
前記本体ケースに設けられて、前記ブロワで加圧されて送られてくる空気を加熱する熱源とを備え、
前記吹出し口部を、ノズルから構成したことを特徴とする乾燥暖房機。
【請求項２】
ノズルの内部に吹出し風を整流する整流板を設けたことを特徴とする請求項１記載の乾燥暖房機。
【請求項３】
整流板を、風向調整可能に構成したことを特徴とする請求項２記載の乾燥暖房機。
【請求項４】
ノズルを、前記吸気口部の開口面よりも室内側に突出形成し、かつ風向調整可能に構成したことを特徴とする請求項１乃至請求項３のいずれかに記載の乾燥暖房機。
【請求項５】
本体ケースに、室内の空気を外部に排出する換気装置を設けたことを特徴とする請求項１乃至請求項４のいずれかに記載の乾燥暖房機。
【発明の詳細な説明】
【技術分野】
【０００１】
本発明は、浴室や脱衣室の暖房やこれらの室を利用した衣類乾燥に好適な乾燥暖房機に係り、より詳しくは少ない風量で温風の到達距離を延ばすことができる乾燥暖房機に関する。
【背景技術】
【０００２】
従来より、浴室や脱衣室に設置されて、これらの室の暖房や、これらの室を利用した衣類乾燥を行う乾燥暖房機は知られている。そして、このようなものにおいて、温風の吹出し口は、デザイン重視あるいはヒータの配置による制約条件の中で構造が決定されているのが実状である（例えば特許文献１参照）。
【０００３】
【特許文献１】特開２０００−１９３２６３号公報
【発明の開示】
【発明が解決しようとする課題】
【０００４】
しかしながら、温風吹出し口の構造が、前述のようにデザインやヒータ配置による制約条件の中で決定されているものにあっては、暖房性能や乾燥性能を向上させる際に重要となる温風吹出し風速を確保することが難しく、床面まで温風が到達しないという難点がある。このような問題は、風量を大きくすることで解決し得るが、この場合には、騒音の発生や消費電力の増大という新たな問題が発生する。
【０００５】
また、温風吹出し風速が上がらない場合、吹出し口部より吹出した温風の一部が直ぐ横の吸気口部より吸いこまれるショートサーキットが発生し、温風が浴室全体に循環しなくなり、この結果、暖かい空気が上方へ溜まってしまい、床面の温度が上がらないという問題がある。
【０００６】
本発明の技術的課題は、少ない風量で騒音、消費電力を低減しつつ、温風の到達距離を延ばすことができるようにすることにある。
【課題を解決するための手段】
【０００７】
本発明の乾燥暖房機は、室内に臨む吸気口部と吹出し口部を有する本体ケースと、本体ケースに設けられて、室内の空気を吸気口部より吸気し吹出し口部より室内へ送風する循環流を発生させるブロワと、本体ケースに設けられて、ブロワで加圧されて送られてくる空気を加熱する熱源とを備え、吹出し口部を、ノズルから構成したものである。
【発明の効果】
【０００８】
本発明の乾燥暖房機においては、吹出し口部を、ノズルから構成しているので、吹出し口部からの温風吹出し風速が増し、ショートサーキットの発生を低減させることができ、かつ温風の到達距離が長くなって、少風量で床面まで温風を到達させることができる。この結果、室全体に温風を循環させることができて、床面の温度を上げることが可能となり、暖房効果が向上し、低騒音かつ暖房・乾燥時間の短縮化が図れる。
【発明を実施するための最良の形態】
【０００９】
実施の形態１．
以下、図示実施形態により本発明を説明する。
図１乃至図６はいずれも本発明の請求項１，４，５に係る乾燥暖房機を示すもので、図１はその外観を下方より示す斜視図、図２はその外観を上方より示す斜視図、図３はその横断面図、図４はその側面断面図、図５はその正面図、図６はその浴室への設置状態の説明図である。
【００１０】
本実施形態の乾燥暖房機１は、例えば図６のように浴室２の天井２ａに設置されて使用される。浴室２内には、その床２ｂ上に浴槽２ｃが設置されており、乾燥暖房機１の温風吹出し方向は、浴槽２ｃを避けて床２ｂを向くように設定されている。
【００１１】
すなわち、乾燥暖房機１は、その本体ケース１ａ内に、ブロワすなわちモータ３で回転される循環用のシロッコファン４が内蔵され、シロッコファン４の外周側に、空気をヒータ等の熱源（又は熱交換部）５側へ導くためのガイド板６が本体ケース２ａと一体または別体から形成されて設けられており、浴室２内の空気を吸い込む第１の吸気口部７から吸気して、シロッコファン４で加圧されて送られてくる空気が、ヒータ等の熱源（又は熱交換部）５の熱を受け温風となって、吹出し開口８から吹出し口部となる風路断面が長方形状を呈するノズル９を介して浴室２内に吹出されるようになっている。
【００１２】
これを更に詳述すると、ノズル９は、吹出し開口８に図示しない可動機構（例えば可撓管）を介して取り付けられて、風向を調整することができるようになっている。またノズル９は、第１の吸気口部７の開口面よりも室内側に突出するように形成され、これによって第１の吸気口部７と吹出し口部（ノズル９の先端開口）との間の離隔距離を十分確保できるようになっている。
【００１３】
また、乾燥暖房機１の本体ケース１ａの底部となるベース板１ｂには、シロッコファン４とは別に、モータ１１で回転される換気用のシロッコファン１２も取り付けられており、シロッコファン１２の外周側には、空気を室外へ導くためのガイド板１３が本体ケース１ａと一体または別体から形成されて設けられており、浴室２内の空気を吸い込む第２の吸気口部１４から吸気して、シロッコファン１２の回転により排気口部１５ａ（又は１５ｂ）から室外へ排出できるように構成されている。なお、排気口部１５ａ，１５ｂは、設置場所（現場）の換気ダクト等の状況に応じて選択的に使用されるもので、一方（ここでは排気口部１５ｂ）は遮蔽板１６により遮蔽されるようになっている。
【００１４】
前述の構成を有する本実施形態の乾燥暖房機において、ヒータ等の熱源（又は熱交換部）５に通電し、モータ３により循環用のシロッコファン４を駆動すると、浴室２内の空気が第１の吸気口部７から吸い込まれ、シロッコファン４で加圧されてヒータ等の熱源（又は熱交換部）５部に送られ、ヒータ等の熱源（又は熱交換部）５の熱を受け温風となって、吹出し開口８からノズル９を通して浴室２内に吹出される。このため、吹出し速度が増し、少ない風量で騒音、消費電力を低減しつつ、温風の到達距離を延ばすことができる。すなわち、ノズル９を用いることによる吹出し口圧力損失により、ヒータ等の熱源（又は熱交換部）５内の圧力が上昇し、横長の吹出し口形状でも均一な吹出し風速噴流を得ることができ、少ない風量でも床面２ｂまで温風等が到達し、温風によって床面２ｂから浴室２を均一に暖めることができるものとなり、足元の寒さ感を低減することができる。
【００１５】
また、室内側に突出するノズル９によって第１の吸気口部７と吹出し口部（ノズル９の先端開口）との間の離隔距離が大きくなり、これによってショートサーキットをなくすことができて、浴室２全体に温風を循環させることができる。このため、暖房効果が向上し、暖房・乾燥時間の短縮化が図れる。
【００１６】
また、前述した室内空気の循環機能だけでなく、モータ１１、シロッコファン１２、及びガイド板１３による換気機能（換気装置）も持たせているので、湿気を外部に強制排出することができて、浴室床面２ｂ等の乾燥も低騒音、低消費電力、短時間で行うことができる。
【００１７】
実施の形態２．
図７乃至図１０はいずれも本発明の請求項１，２，３，４，５に係る乾燥暖房機を示すもので、図７はその外観を下方より示す斜視図、図８はその側面断面図、図９はその正面図、図１０はその要部であるノズルと整流板の一態様を示す説明図であり、各図中、前述の実施形態１のものと同一部分には同一符号を付し、その説明は省略する。
【００１８】
本実施形態の乾燥暖房機１は、吹出し口部となる風路断面が長方形状を呈するノズル９Ａの内部に、吹出し風を整流する複数の整流板２１を、その一部あるいは全部が風向調整可能（可動式）となるように設けた点に特徴を有しており、それ以外の構成は前述の実施形態１のものと同一であり、実施形態１の持つ機能を全て備えている。つまり、本実施形態の乾燥暖房機１も、ノズル９Ａそのものが吹出し開口８に図示しない可動機構（例えば可撓管）を介して取り付けられて風向を調整することができるようになっているとともに、室内空気の循環機能だけでなく、モータ１１、シロッコファン１２、及びガイド板１３による換気機能（換気装置）も備えている。
【００１９】
この実施形態２の乾燥暖房機においては、整流板２１を、図９のようにその一部あるいは全部を傾けたり、図１０のようにストレート状態にすることで、風向を自由に決定することができる。したがって、ノズル９Ａそのものや整流板２１により、可能な限り風向が吸気口部７や吸気口部１４から遠ざかる方向となるように調整することで、ノズル９Ａ内から吹出された温風が直ぐ横の吸気口部７、吸気口部１４から吸い込まれるショートサーキット量を低減することができる。このため、暖房、乾燥時の効率が一層向上し、ランニングコストの低減化が図れる。
【００２０】
また、浴室内に衣類を吊り下げての乾燥時には、整流板２１の全てあるいは一部を風向が衣類方向となるように傾けることで、衣類にムラ無く強い風を当てることができる。このため、乾きムラを低減させることができて、乾燥時間も短縮することができる。
【００２１】
また、整流板２１によって広範囲にわたり均一に浴室を暖房することができ、浴室の乾燥においても床面の端部まで乾燥することができる。
【００２２】
また、入浴中に浴室の暖房を行う場合において、整流板２１を人がいない方向に傾けたり、整流板２１によりノズル９Ａを部分的に閉塞したりすることで、風量、吹出し風速を人に風が届かない程度に低減して冷風感を防止することができて、快適性が向上する。
【図面の簡単な説明】
【００２３】
【図１】本発明の実施形態１に係る乾燥暖房機の外観を下方より示す斜視図である。
【図２】実施形態１に係る乾燥暖房機の外観を上方より示す斜視図である。
【図３】実施形態１に係る乾燥暖房機の横断面図である。
【図４】実施形態１に係る乾燥暖房機の側面断面図である。
【図５】実施形態１に係る乾燥暖房機の正面図である。
【図６】実施形態１に係る乾燥暖房機の浴室への設置状態の説明図である。
【図７】本発明の実施形態２に係る乾燥暖房機の外観を下方より示す斜視図である。
【図８】実施形態２に係る乾燥暖房機の側面断面図である。
【図９】実施形態２に係る乾燥暖房機の正面図である。
【図１０】実施の形態２に係る乾燥暖房機の要部であるノズルと整流板の一態様を示す説明図である。
【符号の説明】
【００２４】
１  乾燥暖房機、１ａ  本体ケース、２  浴室（室）、３  モータ（ブロワ）、４  循環用のシロッコファン（ブロワ）、５  熱源、７  第１の吸気口部（吸気口部）、９，９Ａ  ノズル（吹出し口部）、１１  モータ（換気装置）、１２  換気用のシロッコファン（換気装置）、２１  整流板。
【図１】
2006022989.tif 000003
【図２】
2006022989.tif 000004
【図３】
2006022989.tif 000005
【図４】
2006022989.tif 000006
【図５】
2006022989.tif 000007
【図６】
2006022989.tif 000008
【図７】
2006022989.tif 000009
【図８】
2006022989.tif 000010
【図９】
2006022989.tif 000011
【図１０】
2006022989.tif 000012